(57)【要約】【課題】  波長変換効率が経時劣化することを防止することができる自発光型カラーディスプレイ装置を提供する。【解決手段】  自発光型カラーディスプレイ装置は、マトリクス状に配置された複数の画素１１と、各画素１１を駆動するために設けられた駆動回路３３とを具備しており、各画素１１は、互いに異なる４種類の発光体１、２、３及び４を含んでおり、４種類の発光体１、２、３及び４の発光色が、赤色、緑色および青色の３原色と、３原色に対応する３発光体の内、経時劣化が最大の発光体の発光色を主成分とする中間色とよりなる。【選択図】  図２
2005032721.tif 000002
【特許請求の範囲】
【請求項１】
マトリクス状に配置された複数の画素と、
各画素を駆動するために設けられた駆動回路とを具備しており、
各画素は、互いに異なる４種類の発光体を含んでいることを特徴とする自発光型カラーディスプレイ装置。
【請求項２】
前記４種類の発光体の発光色が、赤色、緑色および青色の３原色と、前記３原色に対応する３発光体の内、経時劣化が最大の発光体の発光色を主成分とする中間色とよりなる、請求項１記載の自発光型カラーディスプレイ装置。
【請求項３】
前記４種類の発光体は、赤、緑および青の３原色の発光体と、前記３原色に対応する３つの発光体の内、経時劣化が最大の発光体と略同色の発光体とである、請求項１記載の自発光型カラーディスプレイ装置。
【請求項４】
前記駆動回路は、各画素を交流（ＡＣ）駆動する、請求項１記載の自発光型カラーディスプレイ装置。
【請求項５】
前記自発光型カラーディスプレイ装置は、プラズマディスプレイパネルである、請求項１記載の自発光型カラーディスプレイ装置。
【請求項６】
前記経時劣化が最大の発光体は、青色発光体であり、
前記中間色は、青緑色である、請求項２記載の自発光型カラーディスプレイ装置。
【請求項７】
前記青緑色は、青色と緑色によって実質的に等色されており、その等色条件において、国際照明委員会ＸＹＺ表色系における前記緑色の輝度Ｙgと前記青色の輝度Ｙbとの比Ｙg／Ｙbが１．０＜Ｙg／Ｙb＜５．０である、請求項６記載の自発光型カラーディスプレイ装置。
【請求項８】
前記青緑色を発光する発光体は、実質的にＳｒ4-xＥｕxＡｌ14Ｏ25によって構成されている、請求項６記載の自発光型カラーディスプレイ装置。
【請求項９】
前記青緑色を発光する発光体は、実質的にＢａ1-x-yＥｕxＳｒyＭｇＡｌ10Ｏ17によって構成されており、０．０１＜ｘ＜０．２、０．３＜ｙ＜１、ｘ＋ｙ＜１である、請求項６記載の自発光型カラーディスプレイ装置。
【請求項１０】
前記青緑色を発光する発光体は、実質的にＢａ1-xＥｕxＭｇ1-yＭｎyＡｌ10Ｏ17によって構成されており、０．０１＜ｘ＜０．２、０．０１＜ｙ＜１である、請求項６記載の自発光型カラーディスプレイ装置。
【請求項１１】
前記青緑色を発光する発光体は、実質的にＣａ3(1-x-y)ＥｕxＳｒyＭｇＳｉ2Ｏ8によって構成されており、０．００５≦ｘ≦０．０２５、０≦ｙ≦１である、請求項６記載の自発光型カラーディスプレイ装置。
【請求項１２】
前記青緑色を発光する発光体は、実質的にＳｒ3ＥｕxＡｌ10ＳｉＯ20によって構成されており、０．００５≦ｘ≦０．０５である請求項６記載の自発光型カラーディスプレイ装置。
【請求項１３】
各発光体による発光によって表される画像の色再現範囲を設定するために設けられた色再現性設定手段をさらに具備する、請求項１記載の自発光型カラーディスプレイ装置。
【請求項１４】
前記発光体から発光された光の照度を測定する照度計と、
前記照度計によって測定された前記照度の値に応じて、各発光体による発光によって表される画像の色再現範囲を変更するために設けられた色再現性変更手段とをさらに具備する、請求項１記載の自発光型カラーディスプレイ装置。
【請求項１５】
請求項２記載の自発光型カラーディスプレイ装置の駆動方法であって、
前記３原色によって実現される色再現範囲を維持しながら、前記経時劣化が最大の発光体の発光回数が他の３種類の発光体の発光回数よりも少なくなるように前記４種類の発光体を駆動する工程を包含することを特徴とする自発光型カラーディスプレイ装置の駆動方法。
【請求項１６】
前記色再現範囲は、周囲の光の照度に応じて予め設定されている、請求項１５記載の自発光型カラーディスプレイ装置の駆動方法。
【請求項１７】
前記自発光型カラーディスプレイ装置は、プラズマディスプレイパネルである、請求項１５記載の自発光型カラーディスプレイ装置の駆動方法。
【請求項１８】
前記経時劣化が最大の発光体の発光色を主成分とする中間色は、青緑色である、請求項１５記載の自発光型カラーディスプレイ装置の駆動方法。
【発明の詳細な説明】
【技術分野】
【０００１】
本発明は、青色蛍光体が形成されたカラーＰＤＰ（プラズマディスプレイパネル）のための自発光型カラーディスプレイ装置およびその駆動方法に関する。
【背景技術】
【０００２】
カラーＰＤＰは、前面板および背面板と称される一対のガラス基板が１００マイクロメータ（μｍ）程度の間隔を空けて対向して配置され、キセノン（Ｘｅ）を含む希ガスが大気圧以下で封入された放電空間を３本の電極によって制御して放電させることにより画像を表示する自発光型表示パネルである。カラーＰＤＰでは、各画素は赤、緑および青の３つのサブピクセルからなり、各サブピクセルは直線状の隔壁によって仕切られ、個別にアドレスすることが可能なように、アドレス電極と略平行に配置された一対の放電電極（サステイン電極とも称される）がほぼ垂直に交差する構造を有している。
【０００３】
カラーＰＤＰでは、赤、緑および青の光の３原色を発光色とする蛍光体がそれぞれ塗布された３個のサブピクセルによって１画素を構成しており、放電により生じるＸｅの輝線（真空紫外光）を蛍光体によって波長変換してフルカラー表示を実現している。
【０００４】
しかし、赤、緑および青の各蛍光体の発光効率は均一ではないので、同じ強さの真空紫外光を波長変換すると、特定の色が弱くなり、白色バランスが崩れてしまう。白色バランスを維持したまま輝度を向上させるためには、全ての蛍光体について同等の比率で波長変換効率を向上させることが必要である。この要請が、ＰＤＰの輝度向上を困難なものとしていた。
【０００５】
特許文献１には、上記した問題を解決するための構成が開示されている。図５は、従来の自発光型カラーディスプレイ装置９０の構成を示すブロック図である。自発光型カラーディスプレイ装置９０は、パネル３１を備えている。パネル３１には、複数の画素９１がマトリックス状に設けられている。自発光型カラーディスプレイ装置９０には、各画素９１を駆動するための駆動回路３３が設けられている。
【０００６】
図６は、従来の自発光型カラーディスプレイ装置９０に設けられた画素９１の構成を示す断面図である。画素９１は、基板５４の上に形成された４つの隔壁５６を有している。左から２本の隔壁５６の間には、緑色蛍光体層５３が、基板５４上に設けられたアドレス電極５５を覆うように形成されている。左から２本目の隔壁５６と左から３本目の隔壁５６との間には、基板５４上に設けられたアドレス電極５５を覆うように赤色蛍光体層５２が形成されている。左から３本目の隔壁５６と左から４本目の隔壁５６との間には、基板５４上に設けられたアドレス電極５５を覆うように青色蛍光体層５１が形成されている。
【０００７】
左から２本目の隔壁５６と左から３本目の隔壁５６との間の間隔は、左から３本目の隔壁５６と左から４本目の隔壁５６との間の間隔よりも狭くなっている。
【０００８】
左から１本目の隔壁５６と左から２本目の隔壁５６との間の間隔は、左から２本目の隔壁５６と左から３本目の隔壁５６との間の間隔よりも狭くなっている。従って、赤色蛍光体層５２の面積は、青色蛍光体層５１の面積よりも狭くなっており、緑色蛍光体層５３の面積は赤色蛍光体層５２の面積よりも狭くなっている。このように、輝度が低い蛍光体のサブピクセルの面積を相対的に拡張する方法が取られており、青色蛍光体層５１、赤色蛍光体層５２および緑色蛍光体層５３の順番に相対的にサブピクセル面積を狭めていくことによって白色バランスを調整している。
【０００９】
図７は、特許文献２に開示された画素の構成を示す分解斜視図である。図７を参照すると、特許文献２には、発光色の輝度が低い蛍光体６３が配置されている放電空間６１において、放電電極対に対応した放電セル部の隔壁６２の間隔よりも非放電セル部の隔壁６２の間隔が狭くなるように、各隔壁６２の側縁形状を規則的に左右非対称に形成し、発光色の輝度が低い蛍光体６３の放電セルの周辺部における発光面を広くする構成が開示されている。
【００１０】
このように、放電空間に面する低輝度蛍光体の表面積を相対的に増加させて輝度のアンバランスを修正し、高輝度で白色バランスを保つことが可能となる。
【００１１】
また，ＰＤＰに用いられている蛍光体ではその量子効率（放出される緑色光子の数／入射した真空紫外光子の数）が飽和現象を起こし，輝度が低下する場合があった。例えば，緑色蛍光体Ｚｎ2ＳｉＯ4：Ｍｎ（ウイレマイト（willemite)）がこの問題を有する。この問題に対して，特許文献３では，サブピクセルの位置において実質的に同じ色の少なくとも２つの異なる蛍光体を含む蛍光体層を有する構成とし，高輝度を維持する方法が開示されている。
【特許文献１】特開平１１−５４０５７号公報
【特許文献２】特開２０００−１１８９４号公報
【特許文献３】特表２００２−５３８５８２号公報
【発明の開示】
【発明が解決しようとする課題】
【００１２】
しかしながら、ＰＤＰにおいて使用される青色蛍光体は、輝度が低いという問題に加えて、使用条件によっては画像を表示する時に発生する真空紫外光によって波長変換効率が経時劣化してしまう場合があるという問題を抱えていた。
【００１３】
前述した３つの従来技術の構成では、輝度を向上させることは可能であるものの、波長変換効率の経時劣化の課題に対してはそれほど有効ではなく、別の解決策が必要であった。
【００１４】
また、特許文献２に開示された構成では、隔壁の形状を複雑にしなければならないので、蛍光体の塗布工程が煩雑になり、その結果、塗布工程における歩留まりが低下するという新たな課題を有していた。
【００１５】
本発明の目的は、波長変換効率が経時劣化することを防止することができる自発光型カラーディスプレイ装置およびその駆動方法を提供することにある。
【課題を解決するための手段】
【００１６】
本発明に係る自発光型カラーディスプレイ装置は、マトリクス状に配置された複数の画素と、各画素を駆動するために設けられた駆動回路とを具備しており，各画素は、互いに異なる４種類の発光体を含んでいることを特徴とする。
【００１７】
本発明に係る自発光型カラーディスプレイ装置の駆動方法は、３原色によって実現される色再現範囲を維持しながら、経時劣化が最大の発光体の発光回数が他の３種類の発光体の発光回数よりも少なくなるように４種類の発光体を駆動する工程を包含することを特徴とする。
【発明の効果】
【００１８】
本発明によれば、波長変換効率が経時劣化することを防止することができる自発光型カラーディスプレイ装置およびその駆動方法を提供することができる。
【発明を実施するための最良の形態】
【００１９】
本実施の形態に係る自発光型カラーディスプレイ装置においては、マトリクス状に配置された複数の画素のそれぞれは、互いに異なる４種類の発光体を含んでいる。このため、発光輝度の経時劣化が大きい発光体の発光回数を、白色バランスを崩さず、かつ、色再現範囲を限定することなく低下させることができる。その結果、経時劣化を抑制することができる。
【００２０】
前記４種類の発光体の発光色が、赤色、緑色および青色の３原色と、前記３原色に対応する３発光体の内、経時劣化が最大の発光体の発光色を主成分とする中間色とよりなることが好ましい。
【００２１】
前記４種類の発光体は、赤、緑および青の３原色の発光体と、前記３原色に対応する３つの発光体の内、経時劣化が最大の発光体と概同色の発光体とであることが好ましい。
【００２２】
前記駆動回路は、各画素を交流（ＡＣ）駆動することが好ましい。
【００２３】
前記自発光型カラーディスプレイ装置は、プラズマディスプレイパネルであることが好ましい。
【００２４】
前記経時劣化が最大の発光体は、青色発光体であり、前記中間色は、青緑色であることが好ましい。
【００２５】
前記青緑色は、青色と緑色によって実質的に等色されており、その等色条件において、国際照明委員会ＸＹＺ表色系における前記緑色の輝度Ｙgと前記青色の輝度Ｙbとの比Ｙg／Ｙbが１．０＜Ｙg／Ｙb＜５．０であることが好ましい。
【００２６】
前記青緑色を発光する発光体は、実質的にＳｒ4-xＥｕxＡｌ14Ｏ25によって構
成されていることが好ましい。
【００２７】
前記青緑色を発光する発光体は、実質的にＢａ1-x-yＥｕxＳｒyＭｇＡｌ10Ｏ1
7によって構成されており、０．０１＜ｘ＜０．２、０．３＜ｙ＜１、ｘ＋ｙ＜１であることが好ましい。
【００２８】
前記青緑色を発光する発光体は、実質的にＢａ1-xＥｕxＭｇ1-yＭｎyＡｌ10Ｏ
17によって構成されており、０．０１＜ｘ＜０．２、０．０１＜ｙ＜１であることが好ましい。
【００２９】
前記青緑色を発光する発光体は、実質的にＣａ3(1-x-y)ＥｕxＳｒyＭｇＳｉ2Ｏ8によって構成されており、０．００５≦ｘ≦０．０２５、０≦ｙ≦１であることが好ましい。
【００３０】
前記青緑色を発光する発光体は、実質的にＳｒ3ＥｕxＡｌ10ＳｉＯ20によって構成されており、０．００５≦ｘ≦０．０５であることが好ましい。
【００３１】
各発光体による発光によって表される画像の色再現範囲を設定するために設けられた色再現性設定手段をさらに具備することが好ましい。
【００３２】
周囲環境の照度を測定する照度計と、前記照度計によって測定された前記照度の値に応じて、各発光体による発光によって表される画像の色再現範囲を変更するために設けられた色再現性変更手段とをさらに具備することが好ましい。
【００３３】
本実施の形態に係る自発光型カラーディスプレイ装置の駆動方法においては、３原色によって実現される色再現範囲を維持しながら，経時劣化が最大の発光体の発光回数が他の３種類の発光体の発光回数よりも少なくなるように４種類の発光体を駆動する。このため、発光輝度の経時劣化が大きい発光体の発光回数を、白色バランスを崩さず、かつ、色再現範囲を限定することなく低下させることができる。その結果、経時劣化を抑制することができる。
【００３４】
前記色再現範囲は、周囲環境の照度に応じて予め設定されていることが好ましい。
【００３５】
前記自発光型カラーディスプレイ装置は、プラズマディスプレイパネルであることが好ましい。
【００３６】
前記経時劣化が最大の発光体の発光色を主成分とする中間色は、青緑色であることが好ましい。
【００３７】
（実施の形態１））
（本発明のＰＤＰの構成）
図１は、実施の形態１に係るＰＤＰ１００の構成を示すブロック図である。ＰＤＰ１００は、パネル３１を備えている。パネル３１には、複数の画素１１がマトリックス状に設けられている。ＰＤＰ１００には、各画素１１を駆動するための駆動回路３３が設けられている。
【００３８】
図２は、ＰＤＰ１００に設けられた各画素１１の構成を示す断面図である。各画素１１は、背面ガラス基板５の上に設けられた５本の隔壁７を有している。隣り合う隔壁７の間の間隔は、互いに等しくなっている。
【００３９】
左から１本目の隔壁７と左から２本目の隔壁７との間には、背面ガラス基板５の上に設けられたアドレス電極６を覆うように緑色蛍光体層２が形成されている。左から２本目の隔壁７と左から３本目の隔壁７との間には、背面ガラス基板５の上に設けられたアドレス電極６を覆うように赤色蛍光体層１が形成されている。左から３本目の隔壁７と左から４本目の隔壁７との間には、背面ガラス基板５の上に設けられたアドレス電極６を覆うように青色蛍光体層３が形成されている。
【００４０】
そして、左から４本目の隔壁７と左から５本目の隔壁７との間には、背面ガラス基板５の上に設けられたアドレス電極６を覆うように青緑色蛍光体層４が形成されている。
【００４１】
図６を参照して前述したように、従来は、各画素は、赤、緑および青の３原色の蛍光体がそれぞれ塗布された３サブピクセルによって構成されていた。本実施の形態に係るＰＤＰでは、図２に示すように、赤色蛍光体層１、緑色蛍光体層２および青色蛍光体層３に加えて青緑色蛍光体層４を付加した１画素４サブピクセル構成とする。各蛍光体層は、背面ガラス基板５上に保持されており、それぞれアドレス電極６と１対の放電電極（前面板側にあり、図示せず）とによって選択的に放電させることが可能である。各サブピクセルは、帯状の隔壁７によって区分されている。
【００４２】
このように青緑色蛍光体層４を付加した１画素４サブピクセル構成によって、
真空紫外光による輝度の経時劣化が大きい青色蛍光体層３の発光回数を、適切な駆動方法によって低減することが可能となる。経時劣化は、発光回数に概略比例するので、青色蛍光体層３の経時劣化を抑制することができる。なお、適切な駆動方法に関しては、後述する。
【００４３】
（蛍光体の塗布面積）
また、各サブピクセルの底面のみではなく、隔壁７の側面にも各蛍光体層を塗布している。従って、画素サイズにもよるが、例えば４２インチで１０２４×７６０画素の場合など，多くの場合、従来の１画素３サブピクセル構成の場合よりも、本実施の形態に係る１画素４サブピクセル構成の方が蛍光体の総塗布面積が増加するので好ましい。
【００４４】
（新たに付加される蛍光体）
本実施の形態が有効であるためには、新たに付加された青緑色蛍光体層４が、
青色蛍光体層３に比較して高輝度でかつ経時劣化が小さいことが必要である。
【００４５】
発明者らの検討によると、青緑色蛍光体層４は、ユーロピウム（Ｅｕ）付活ストロンチウムアルミネート蛍光体、例えば、Ｓｒ4-xＥｕxＡｌ14Ｏ25（但し、０．０１＜ｘ＜０．１）、Ｓｒ4-xＥｕxＡｌ14Ｏ25にＰ2Ｏ5を４０原子数％以下固溶させたもの（特開昭６１−０６９８８５号公報に記載）、Ｅｕ付活バリウムストロンチウムマグネシウムアルミネート蛍光体Ｂａ1-xＥｕxＳｒyＭｇＡｌ10Ｏ17（但し、０．０１＜ｘ＜０．２、０．３＜ｙ＜１、ｘ＋ｙ＜１）ならびにＥｕ、マンガン（Ｍｎ）付活バリウムマグネシウムアルミネート蛍光体Ｂａ1-xＥｕxＭｇ1-yＭｎyＡｌ10Ｏ17（但し、０．０１＜ｘ＜０．２、０．０１＜ｙ＜１）などによって構成することができる。また，Ｅｕ付活カルシウムストロンチウムマグネシウムシリケート蛍光体Ｃａ3(1-x-y)ＥｕxＳｒyＭｇＳｉ2Ｏ8（但し，０．００５≦ｘ≦０．０２５、０≦ｙ≦１）を使用すると，Ｓｒ量ｙによりピーク波長を４５８〜４７５ｎｍに調整可能であり，色度を選択できるので好ましい。また，Ｅｕ付活ストロンチウムアルミネート蛍光体Ｓｒ3ＥｕxＡｌ10ＳｉＯ20（但し，０．００５≦ｘ≦０．０５）を使用すると，Ｅｕ量ｘによりピーク波長を４６６〜４７１ｎｍに調整可能であり，色度を調整できるので好ましい。
【００４６】
これらの青緑色蛍光体は、現行の青色蛍光体よりも高輝度で、経時劣化が少ないため好ましい。
【００４７】
（サブピクセル面積比の最適化）
なお、本実施の形態は、前述した特許文献１や特許文献２に記載の方法と組み合わせて使用することも可能である。図３に特許文献１に記載の方法と組み合わせて使用した画素１１Ａの構成を示す。即ち、本実施の形態による１画素４サブピクセル構成では、赤の輝度が相対的に低下するので、赤のサブピクセルを構成する赤色蛍光体層１の両側の隔壁７の間隔を相対的に広くして赤色蛍光体層１の蛍光体塗布面積を相対的に広く取ることによって、赤の輝度が低下することを防止することが可能である。
【００４８】
（略同色サブピクセルの付加）
なお、本実施の形態では、付加するサブピクセルが中間色の場合に関して記述したが、本発明はこれに限定されない。既存の原色サブピクセルをさらに追加してもよい。例えば、Ｅｕ付活バリウムマグネシウムアルミネート青色蛍光体の場合、輝度をある程度犠牲にすれば、経時劣化を抑制することができることが知られている。このため、高輝度のものと低劣化のものとをそれぞれサブピクセルに配置し、これらの両立を図る方法などが考えられる。
【００４９】
（色再現範囲の限定による劣化抑制）
なお、青サブピクセルの発光の所定の割合を青緑サブピクセルに割り振ることによって、青色蛍光体の経時劣化をさらに抑制することが可能となる。これは、色再現範囲を限定することによって青色蛍光体の経時劣化を抑制することを意味する。従って、図１に示すように、パネル３１を駆動する駆動回路３３に色再現性設定部３２が接続された構成とし、色再現性設定部３２の設定がユーザに開放されていることが好ましい。
【００５０】
（劣化抑制のための駆動方法）
次に、本実施の形態に係る１画素４サブピクセルＰＤＰにおいて、輝度を維持しながら青色蛍光体の経時劣化を抑制する駆動方法を説明する。より具体的には、外部からの画面ＲＧＢ信号（ｓＲＧＢ信号）を各サブピクセルに割振る方法を説明する。
【００５１】
新しく設けた青緑色蛍光体層４が、青：緑＝ｃ：１−ｃ（但し０＜ｃ＜１）比の混色によって実質上等色され、従って、赤に対する階調信号Ｒは修正を受けないものとする。さらに、前述した特許文献１または特許文献２に記載の方法などにより、赤、緑および青のそれぞれの最大輝度において白色バランスが実際上調整されているものと仮定する。
【００５２】
外部からの画面ＲＧＢ諧調信号Ｒ、ＧおよびＢに応じて以下の４とおりに場合分けされる。
【００５３】
１． Ｇ−（１−ｃ）Ｃmax＞０、Ｂ−ｃＣmax＞０のとき
Ｇ'＝Ｇ−（１−ｃ）Ｃmax、
Ｂ'＝Ｂ−ｃＣmax、
Ｃ'＝Ｃmax
２． Ｇ−（１−ｃ）Ｃmax≦０、Ｂ−ｃＣmax＞０のとき
Ｇ'＝０、
Ｂ'＝Ｂ−ｃＣ'、
Ｃ'＝Ｇ／（１−ｃ）
３． Ｇ−（１−ｃ）Ｃmax＞０、Ｂ−ｃＣmax≦０のとき
Ｇ'＝Ｇ−（１−ｃ）Ｃ'、
Ｂ'＝０、
Ｃ'＝Ｂ／ｃ
４． Ｇ−（１−ｃ）Ｃmax≦０、Ｂ−ｃＣmax≦０のとき
Ｇ'＝Ｇ−（１−ｃ）Ｃ'、
Ｂ'＝Ｂ−ｃＣ'、
Ｃ'＝ｍｉｎ（Ｇ／（１−ｃ）、Ｂ／ｃ）
ここで、Ｇ'、Ｂ'およびＣ'は、それぞれ緑サブピクセル、青サブピクセルおよび青緑サブピクセルへ出力する修正階調信号であり、Ｃmaxは青緑サブピクセルへ割り当てる階調信号の最大値であり、ｍｉｎ（ｘ、ｙ）は、ｘ、ｙのうち小なる方を示す関数である。なお、小数点以下は四捨五入し、修正諧調信号とする。
【００５４】
例として、青緑色蛍光体層４の色相が、青色蛍光体層３の青と緑色蛍光体層２の緑で、青：緑＝３：１、すなわち、ｃ＝０．７５で実際上等色され、映像信号は画面ＲＧＢ２５６階調信号で、Ｃmax＝２５５とする。
【００５５】
（Ｒ、Ｇ、Ｂ）＝（２５５、２５５、２５５）のときは、前述した１．に該当し、（Ｒ、Ｇ'、Ｂ'、Ｃ'）＝（２５５、１９１、６４、２５５）となる。
【００５６】
（Ｒ、Ｇ、Ｂ）＝（２５５、１２、２５５）のときは、前述した２．に該当し、（Ｒ、Ｇ'、Ｂ'、Ｃ'）＝（２５５、０、２１９、４８）となる。
【００５７】
（Ｒ、Ｇ、Ｂ）＝（２５５、２５５、１２）のときは、前述した３．に該当し、（Ｒ、Ｇ'、Ｂ'、Ｃ'）＝（２５５、２５１、０、１６）となる。
【００５８】
（Ｒ、Ｇ、Ｂ）＝（２５５、１２、１２）のときは、前述した４．に該当し、
（Ｒ、Ｇ'、Ｂ'、Ｃ'）＝（２５５、８、０、１６）となる。
【００５９】
このような駆動方法によれば、色再現範囲を狭めることなく青色蛍光体層３の発光回数を低減することができるので、経時劣化を抑制することが可能である。
【００６０】
また、青緑色の等色条件に関しては、Ｇ：Ｂ＝１０：２４５〜１００：１５５の範囲が好ましい。この範囲内であると、第４のサブピクセルにより、青色蛍光体層３の経時劣化を有効に抑制することができ、輝度の向上も図ることができる。この等色条件では、国際照明委員会ＸＹＺ表色系における緑色蛍光体の輝度Ｙgと青色蛍光体の輝度Ｙｂとの比Ｙg／Ｙbが１．０＜Ｙg／Ｙb＜５．０となる。
【００６１】
なお、本実施の形態では、赤、緑および青の最大輝度において白色バランスが調整されていることを仮定したが、本願発明はこれに限定されることはなく、白色バランスのずれに応じて、修正階調信号を調整すればよいことは自明である。その場合、色再現範囲を重視するか、輝度を重視するかを選択することができる。
【００６２】
なお、本願発明は、ＰＤＰ以外にも、発光体の経時劣化を抑制することが課題となっている自発光型カラーディスプレイ装置に対して適用することができると考えられる。例えば、赤色発光体の経時劣化が問題となっている有機ＥＬディスプレイに対しても本発明を適用することができる。
【００６３】
以上のように実施の形態１によれば、マトリクス状に配置された複数の画素１１のそれぞれは、互いに異なる４種類の発光体を含んでいる。このため、発光輝度の経時劣化が大きい発光体の発光回数を、白色バランスを崩さず、かつ、色再現範囲を限定することなく低下させることができる。その結果、経時劣化を抑制することができる。
【００６４】
（実施の形態２）
（照度計と色再現性変更部を備えた構成）
図４は、実施の形態２に係るＰＤＰ１００Ａの構成を示すブロック図である。実施の形態１において図１を参照して前述したＰＤＰ１００の構成要素と同一の構成要素には同一の参照符号を付している。従って、これらの構成要素の詳細な説明は省略する。前述したＰＤＰ１００と異なる点は、照度計４２をさらに備えており、色再現性設定部３２の替わりに色再現性変更部４３を備えている点である。
【００６５】
照度計４２は、各画素１１の周囲環境の照度を測定する。色再現性変更部４３は、照度計４２によって測定された照度の値に応じて、各蛍光体層による発光によって表される画像の色再現範囲を変更するために設けられている。
【００６６】
ユーザが視認することができる色差は、使用環境の明るさに応じて変化するので、図４に示すように、照度計４２を付加し、照度計４２の測定値に応じて色再現範囲を変更する色再現性変更部４３を設けるように構成する。例えば、色差が視認されやすい低照度の環境では、色再現範囲を広く取り、色差が視認されにくい高照度の環境では色再現範囲を狭くして、青色蛍光体層３の経時劣化を抑制することができる。
【図面の簡単な説明】
【００６７】
【図１】実施の形態１に係る自発光型カラーディスプレイ装置の構成を示すブロック図
【図２】実施の形態１に係る自発光型カラーディスプレイ装置に設けられた各画素の構成を示す断面図
【図３】実施の形態１に係る自発光型カラーディスプレイ装置に設けられた他の各画素の構成を示す断面図
【図４】実施の形態２に係る自発光型カラーディスプレイ装置の構成を示すブロック図
【図５】従来の自発光型カラーディスプレイ装置の構成を示すブロック図
【図６】従来の自発光型カラーディスプレイ装置に設けられた各画素の構成を示す断面図
【図７】従来の他の自発光型カラーディスプレイ装置に設けられた各画素の構成を示す分解斜視図
【符号の説明】
【００６８】
１  赤色蛍光体層
２  緑色蛍光体層
３  青色蛍光体層
４  青緑色蛍光体層
５  背面ガラス基板
６  アドレス電極
７  隔壁
１１  画素
３１  パネル
３２  色再現性設定部
３３  駆動回路
４２  照度計
４３  色再現性変更部
【図１】
2005032721.tif 000003
【図２】
2005032721.tif 000004
【図３】
2005032721.tif 000005
【図４】
2005032721.tif 000006
【図５】
2005032721.tif 000007
【図６】
2005032721.tif 000008
【図７】
2005032721.tif 000009